(57)【要約】【目的】本発明は、キャビネット等において、扉を略９０度開いた状態でキャビネットの側板の外面に沿って押し込み収納できるようにした扉装置に関するもので、簡単な構造で、扉開放時の前傾を防止し、引出しおよび収納の摺動に違和感のない、キャビネット等における扉装置を提供する事を目的とする。【構成】扉の裏面に沿って上下方向に延びるリンク杆の基端を蝶番の回動片に枢着し、遊端を扉裏面に設けた遊端案内レールに上下摺動自在に嵌合し、遊端と扉裏面の間に引張りバネを装着し、扉を上方に向けて付勢する扉装置において、遊端案内レールの下方を前方向に傾斜して設け、引張りバネを遊端案内レール沿って装着したものである。【選択図】    図２
2004190260.tif 000002
【特許請求の範囲】
【請求項１】
前面を開口したキャビネット等の側板の前端部に、蝶番の固定片を取付け、固定片に回動自在に回動片を設け、回動片を扉裏面の上下に互いに平行に配設されたレールに適宜手段をもって摺動自在に連結し、前記扉を回動自在で、且つ、キャビネット等の側板の外面に沿って、前後方向に移動自在に構成し、前記扉の裏面に沿って上下方向に延びるリンク杆の基端を前記蝶番の回動片に枢着し、リンク杆の遊端を扉裏面に設けた遊端案内レールに上下方向に摺動可能に嵌合し、リンク杆の遊端と扉裏面との間に引張りバネを装着し、扉を上方に向けて付勢してなるキャビネット等における扉装置において、前記遊端案内レールは、下方が前方向に傾斜して設けられ、引張りバネが遊端案内レールに沿って装着されている事を特徴とするキャビネット等における扉装置。
【請求項２】
遊端案内レールは、下方が前方向に略３０度傾斜して設けられている事を特徴とする請求項１に記載のキャビネット等における扉装置。
【発明の詳細な説明】
【０００１】
【発明の属する技術分野】
本発明は、キャビネット等において、扉を略９０度開いた状態で、キャビネットの側板の外面に沿って押し込み収納できるようにした扉装置に関するものである。
【０００２】
【従来の技術】
従来、上記扉装置として、扉の裏面に沿って上下方向に延びるリンク杆を、キャビネット本体に設けた蝶番の回動片に、扉を９０度開いた状態で前後傾動自在となるようその下端を枢着する一方、前記扉における裏面の巾方向の略中間位置に、上下方向に延びる補助レールを固着し、該補助レールに前記リンク杆の上端に設けた摺動子を上下摺動自在に嵌合し、さらに前記リンク杆の上端と、扉における裏面のうち前記補助レールよりも下方の部位に設けた部材との間に引張りバネを設けた構成が開示されている。（例えば特許文献１参照。）
【０００３】
上記構成によると、扉の押し込みあるいは引き出し時（扉が前後方向に移動する時）、補助レールが扉裏面の巾方向の略中間位置に垂直に設けられているので、リンク杆が垂直姿勢に直立した状態で、引張りバネの力は扉の前後方向の摺動力に転化されずデッドポイントとなる。
そして、扉がこのデッドポイントを通過すると、バネの引張り力によって前後方向に一定の力が働き、扉はスライドする。
この時、摺動動作に違和感が生じ、さらに、一定に働くバネの引張り力による加速度が、スライド最終時に最大となるので、扉を最前まで引き出した時、あるいは、扉を最後まで収納した際に発生する停止時の衝撃も最も大きく、又、これが扉を案内するレール（レールに取付けられた蝶番、蝶番が取付けられたキャビネット等の側板）に加えられ、不快な衝撃音が発生するだけでなく、長年の使用で扉あるいは蝶番等を破損させる恐れがあった。
【０００４】
一方、扉が引き出された状態では、蝶番より前方に扉の重心が位置するので、扉の自重によって、扉の下部には収納方向に、そして、扉の上部には引き出し方向に摺動力が付加されるようにモーメントが生じ、このため、扉がキャビネット等に対して前傾する傾向があり、上記とは逆に、収納された状態では扉が後傾する傾向があった。
そして、一般的には、扉を略９０度に開放した状態（扉の引き出し時）での前傾姿勢が目立ち易いので、扉の収納時よりも引き出し時により大きなモーメントで扉が前傾するのを防ぎ、且つ、扉の引き出し、収納操作が違和感なくスムーズに行えるキャビネット等における扉装置が求められていた。
【０００５】
【特許文献１】
実公昭５４−２８３６７号公報
【０００６】
【発明が解決しようとする課題】
本発明は、簡単な構造で、扉の開放時には収納時より強い力で扉を支持して、扉の前傾を防止し、さらに、扉の引き出しおよび収納時の摺動に違和感のない、使い勝手に優れたキャビネット等における扉装置を提供する事を目的とする。
【０００７】
【課題を解決する為の手段】
上記課題を解決する為、本発明が手段とする第１の特徴は、前面を開口したキャビネット等の側板の前端部に、蝶番の固定片を取付け、固定片に回動自在に回動片を設け、回動片を扉裏面の上下に互いに平行に配設されたレールに適宜手段をもって摺動自在に連結し、前記扉を回動自在で、且つ、キャビネット等の側板の外面に沿って前後方向に移動自在に構成し、前記扉の裏面に沿って上下方向に延びるリンク杆の基端を前記蝶番の回動片に枢着し、リンク杆の遊端を扉裏面に設けた遊端案内レールに上下方向に摺動可能に嵌合し、リンク杆の遊端と扉裏面との間に引張りバネを装着し、扉を上方に向けて付勢してなるキャビネット等における扉装置において、前記遊端案内レールは、下方が前方向に傾斜して設けられ、引張りバネが遊端案内レールに沿って装着されているものである。
【０００８】
次に、本発明が手段とする第２の特徴は、前記第１の特徴に加え、遊端案内レールは、下方が前方向に略３０度傾斜して設けられているものである。
【０００９】
【実施例】
以下、添付図面に基づいて実施例を説明する。
図１において、符号１は、左右側板２、２の上下端部に天板３、底板４を固着してなる前面が開口するキャビネット本体を示し、符号５、５は、側板２の前端の上下端部に取付けられた蝶番６、６と連結され、前記キャビネット本体１の前面を開閉自在な扉を示している。
【００１０】
蝶番６は、側板２に固定される固定片６１と、固定片６１に対して水平回動自在にピンにて枢着された回動片６２より構成されている。
そして、回動片６２は、蝶番６、６と同一高さで、扉５の裏面に水平状態に延設されたレール７、７と連結されている。
レール７は、扉５の裏面に巾方向に水平に設けられたレール取付座７０に固定される移動側レール７１と、移動レール７１に摺動自在に設けられる摺動支持片７２より構成され、摺動支持片７２が回動片６２に固着されている。
【００１１】
すなわち、蝶番６、６は、レール７、７と一体化され、キャビネット本体１と扉５と共に連結される。
そして、扉５をキャビネット等の開口に対して略９０度に開いた状態（図１および図２に示す状態）で、扉５は側板２の外面に沿って押し込み可能となる。
この時、扉５と共に移動側レール７１は、蝶番６の回動片６２（回動片６２と連結された摺動支持片７２）に支持されているので、移動側レール７１の前端が摺動支持片７２に当接するまで移動する。
【００１２】
この構成では、扉５の前後移動に際して、扉５の重心が蝶番６の個所から遠近移動するので、扉５をキャビネット本体１から引き出した状態では扉５の重心が蝶番６の前方に移動して、扉５が前傾する傾向となり、逆に、扉５を押し込んだ状態では扉５の重心が蝶番６の後方に移動して、後傾する傾向となり、このため、扉５をスムーズに前後移動させにくい面があった。
そこで、実施例では、リンク杆８を扉５裏面に沿って上下方向に設けている。
すなわち、リンク杆８の基端を前記蝶番６、６のうち下側の蝶番６の回動片６２に枢着し、遊端を扉５の裏面に設けた遊端案内レール９に上下方向に摺動可能に嵌合している。
【００１３】
リンク杆８は、遊端に回転自在にローラー８１を有し、ローラー８１は遊端案内レール９内に嵌合され、ローラー８１の回転軸と遊端案内レール９の下端部間に引張りバネ９０が装着されている。
【００１４】
遊端案内レール９は、扉５裏面に固着される底壁９１と、底壁９１の短手方向両端部を外方に逆Ｌ字形に突出せしめた左右案内側壁９２，９２により上下端部が開口したローラー嵌合溝９０が形成され、ローラー８１を摺動自在に嵌合支持している。
そして、底壁９１の下端部を外方に逆Ｌ字形に突出せしめてバネ係止部９３を形成し、遊端案内レール９は下方が前方向に略３０度傾斜して扉５裏面に設けられている。
【００１５】
本発明は上記の如く構成されているので、従来例と本発明を比較すると、扉５を略９０度に開いた状態（扉５を引き出した状態）では、引張りバネ９０の引張り力を同じに設定している場合、扉５の下方部に付加される引き出し方向への力は、従来例では矢印Ｊ（図５に示す）の大きさで表されるのに対して、本発明では矢印Ｈ（図６に示す。）の大きさで表される。これは、本発明では、明らかに、従来例に比して、扉５の引き出し時に自重によって扉５が前傾しようとするのを打ち消す方向に大きなモーメントが扉５に働くことを示す。つまり、扉５の引き出し時に扉５が前傾するのを防止している。
すなわち、扉５の上部と下部は、収納時、ほぼ同一垂直線上の位置から摺動するので、極めてスムーズに摺動可能となる。
【００１６】
一方、扉５を収納した状態では、引張りバネ９０の引張り力を同じに設定している場合、扉５の下方部に付加される収納方向への力は、従来例では矢印Ｌ（図７に示す）の大きさで表されるのに対して、本発明では矢印Ｋ（図８に示す）の大きさで表される。これは、本発明では、明らかに、従来例に比して、扉５の収納時に収納方向に働く力が小さいことを示す。
つまり、本発明では扉５の収納時に収納状態を保持させようと働く力が小さい。
【００１７】
すなわち、従来例では、当初、引張りバネ９０により生じる、扉５を収納状態に保持しようとする力に抗する大きな力で扉５を引き出さねばならず、しかも、引張りバネ９０による収納方向へ働く力は引き出すにつれて除々に小さくなり、デッドポイント（リンク杆が垂直姿勢に直立した状態、すなわち、扉５が中間付近まで引き出された状態）をすぎると、今度は引き出し方向に力が働き、さらに、扉を引き出すにつれて徐々に大きな力が付加されるので、扉５は手加減をする間も無く勢いよく引き出され、扉５を最前まで引き出した際の停止時の衝撃が大きくなる。また、デッドポイントの前後では引き出し、収納操作時に違和感が生じる。
【００１８】
これに対し、本願発明では、扉５が収納された状態から、当初の引出し力は小さく、しかも、デッドポイント（遊端案内レール９と引張りバネ９０と、リンク杆８が重なった状態）が、扉５の収納位置に接近しているので、引き出し途中での操作力を手加減でき、スムーズに摺動させることができる。
【００１９】
【発明の効果】
特許請求の範囲の請求項１に記載の発明によれば、前記遊端案内レールは、下方が前方に傾斜して設けられ、引張りバネが遊端案内レール沿って装着されているので、構造が簡単で、扉の開放時に扉がキャビネットに対して前傾することを防止し、さらに、扉の引き出し途中および収納途中の摺動に違和感がない。
請求項２に記載の発明によれば、上記効果がより効率的に発揮される。
【図面の簡単な説明】
【図１】扉を開いた状態のキャビネットの斜視図
【図２】扉を開いた状態での本発明の要部正面図
【図３】扉を収納した状態での本発明の要部正面図
【図４】図３のＡ−Ａ線断面拡大図
【図５】従来例での扉を開いた状態での扉を引き出し方向へ働く力を示す説明図
【図６】本発明の扉を開いた状態での扉を引き出し方向へ働く力を示す説明図
【図７】従来例での扉を収納した状態での収納状態を保持しようとする力を示す説明図
【図８】本発明の扉を収納した状態での収納状態を保持しようとする力を示す説明図
【符号の説明】
１              キャビネット本体
２              側板
５              扉
６              蝶番
６１            固定片
６２            回動片
７              レール
８              リンク杆
９              遊端案内レール
９０            引張りバネ
【図１】
2004190260.tif 000003
【図２】
2004190260.tif 000004
【図３】
2004190260.tif 000005
【図４】
2004190260.tif 000006
【図５】
2004190260.tif 000007
【図６】
2004190260.tif 000008
【図７】
2004190260.tif 000009
【図８】
2004190260.tif 000010